(57)【要約】【課題】エレベータの既設の表示装置を新しい表示装置へ交換する場合に、エレベータ制御盤との間の通信方式が設置先ごとに異なる事に起因する製造上の不都合を改善する。【解決手段】直列通信ケーブルが画像制御装置７に接続されている場合には、ＣＰＵ１９は直列通信接続検出回路１３の機能により接続を検知する。ＣＰＵ１９は、直列通信データを直列通信送受信回路１２を介して受信し、当該受信した直列通信データにしたがって画像表示装置６への画像表示を行なう。また、接点信号ケーブルが画像制御装置７に接続されている場合には、ＣＰＵ１９は接点受信検出回路１５の機能により当該接続を検知する。ＣＰＵ１９は、接点データを接点受信回路１４を介して受信し、当該受信した接点データにしたがって画像表示装置６への画像表示を行なう。【選択図】      図３
2009221000.tif 000002
【特許請求の範囲】
【請求項１】
画像情報を表示するための画像表示装置と、
前記画像表示装置へ表示させるための画像情報を記憶する記憶装置と、
直列通信方式により画像表示のための信号を伝送する信号線を接続する第１の接続コネクタと、
前記直列通信方式と異なる方式により画像表示のための信号を伝送する信号線を接続する第２の接続コネクタと、
前記第１および第２の接続コネクタのいずれか一方に信号線が接続されているか否かを検出する検出手段と、
前記第１および第２の接続コネクタのいずれかに前記信号線が接続されていることを前記検出手段により検出した場合で、前記記憶手段に記憶される画像情報の表示指示信号が前記画像表示のための信号として前記接続される信号線によって伝送された場合に、当該表示指示信号にしたがって前記記憶装置に記憶される画像情報を読み出して前記画像表示装置への表示処理を行なう表示制御手段と
を備えたことを特徴とするエレベータ。
【請求項２】
前記検出手段は、
前記第１の接続コネクタに信号線が接続されているか否かを先に検出し、前記第１の接続コネクタに信号線が接続されていることを検出できない場合には、前記第２の接続コネクタに信号線が接続されているか否かを検出する
ことを特徴とする請求項１に記載のエレベータ。
【請求項３】
前記表示制御手段は、
前記第１の接続コネクタに信号線が接続されていることを前記検出手段により検出した場合で、前記接続される信号線によって画像情報が前記画像表示のための信号として伝送された場合に当該画像情報の前記画像表示装置への表示処理を行なう
ことを特徴とする請求項１に記載のエレベータ。
【請求項４】
前記記憶装置は、取り外しが可能な第１の記憶装置および取り外しができない第２の記憶装置でなる
ことを特徴とする請求項１に記載のエレベータ。
【請求項５】
前記直列通信方式による信号伝送を行なう呼びボタンの信号線を接続するための接続手段と、
前記第１の接続コネクタに信号線が接続されていることを前記検出手段により検出した場合で前記接続手段により接続される呼びボタンが操作された場合に、当該操作状態を示す信号をエレベータ制御盤に送信する送信手段と、
前記第１の接続コネクタに信号線が接続されていることを前記検出手段により検出した場合で前記接続手段により接続される呼びボタンへの点灯消灯制御信号が前記エレベータ制御盤から伝送された場合に、当該呼びボタンの点灯消灯制御を行なう点灯消灯制御手段と
をさらに備えたことを特徴とする請求項１に記載のエレベータ。
【発明の詳細な説明】
【技術分野】
【０００１】
本発明は、乗り場や乗りかごに表示装置を備えたエレベータに関する。
【背景技術】
【０００２】
従来、エレベータ制御装置に使用する表示装置は長年アクリルに数字を表示して数字の横のＬＥＤを点灯させることでエレベータのかご位置を利用者に報知する方式が主流であった。この点灯方式は半導体技術の進歩に伴って多様化しており、１６セグメントのＬＥＤを使用して数字や文字の表示を実現する１６セグメントＬＥＤ表示装置や、ＬＥＤをドットマトリクス状に並べて所定のＬＥＤを点灯させることで数字や文字の表示を実現するディジタルドットマトリクス式ＬＥＤ表示装置などが出現しており、１９９０年代前後からは後者のディジタルドットマトリクス式ＬＥＤ表示装置が業界の主流となっている。
【０００３】
これらの表示装置の構造や機能については例えば特許文献１での背景技術で開示されている。前述した文字や数字のみの表示に対応した表示装置の他に、さらに近年ではＬＣＤ（Liquid Crystal Display：液晶ディスプレイ）の普及にともなって画像表示装置を使用したエレベータの位置表示装置が各社で開発・実用化されてきており、新設エレベータの重要な受注要素の１つとして注目されている。
【０００４】
新設エレベータの表示装置が年々高度化していく一方で、製品を引き渡して長期間経過した既設エレベータについても同様の傾向は期待され、特にエレベータの従来の文字や数字のみの表示に対応した表示装置を画像表示装置に交換することでエレベータの顔となる意匠の最新化を求める顧客の需要も大いに期待できる。
【０００５】
とりわけ、既設エレベータは１９８０年代前後からマイクロコンピュータによる制御方式のエレベータが主流となったことでエレベータの制御自体に不満はない一方で、表示装置などの意匠を最新のものに変更する客先の需要が多い。
【０００６】
また、意匠変更のみのリニューアルは稼動中のエレベータを短期間で最新のエレベータ意匠に変更することで外見上最新のエレベータと同等にできるといった特徴もある。よって、エレベータの意匠変更は、今後も多くの需要が見込める事業となっていくものと期待される。
【特許文献１】特開２００７−２３０６９２号公報
【発明の開示】
【発明が解決しようとする課題】
【０００７】
しかしながら、既設エレベータの表示装置と主制御盤との間の通信方式は前述した特許文献１の背景技術に記載される通り、最新のエレベータの通信方式である直列通信方式と異なり、接点を用いた通信方式を備えているため、最新のエレベータと異なる表示装置、つまり既設エレベータの表示装置を別途に開発しなければならない問題が発生する。
【０００８】
例えば既設エレベータ専用の表示装置を新たに開発した場合、需要の増加は期待できても、一般に新設エレベータの出荷台数と比較すると既設エレベータのリニューアル台数の方が現時点では大幅に劣っている現状がある。
【０００９】
よって、既設エレベータについての交換用の表示装置の製作数量が少なくならざるを得ず、当該表示装置の価格が高価になってしまう。また、製造リードタイムが長期間になり、タイムリーに客先に最新の表示装置を提供できないなどの問題点が懸念される。
【００１０】
そこで、本発明の目的は、既設の表示装置を新しい表示装置へ交換する場合に、エレベータ制御盤との間の通信方式が設置先ごとに異なる事に起因する製造上の不都合を改善することが可能になるエレベータを提供することにある。
【課題を解決するための手段】
【００１１】
すなわち、本発明に係わるエレベータは、画像情報を表示するための画像表示装置と、画像表示装置へ表示させるための画像情報を記憶する記憶装置と、直列通信方式により画像表示のための信号を伝送する信号線を接続する第１の接続コネクタと、直列通信方式と異なる方式により画像表示のための信号を伝送する信号線を接続する第２の接続コネクタとを備え、第１および第２の接続コネクタのいずれか一方に信号線が接続されているで、記憶手段に記憶される画像情報の表示指示信号が画像表示のための信号として接続される信号線によって伝送された場合に、当該表示指示信号にしたがって記憶装置に記憶される画像情報を読み出して画像表示装置への表示処理を行なうことを特徴とする。
【発明の効果】
【００１２】
本発明によれば、既設の表示装置を新しい表示装置へ交換する場合に、エレベータ制御盤との間の通信方式が設置先ごとに異なる事に起因する製造上の不都合を改善することができる。
【発明を実施するための最良の形態】
【００１３】
以下図面により本発明の実施形態について説明する。  
図１は本発明の実施形態におけるエレベータの表示装置が組み込まれた新設エレベータシステムの一例を示す図である。  
図１に示すように、本発明の実施形態における新設エレベータシステムは主制御盤１、かご操作盤２および各階床の乗り場表示装置３を中心に構成される。図１に示した新設エレベータシステムでは、主制御盤１は主制御装置４と伝送ＣＰＵ５を備える。主制御装置４はエレベータの駆動制御の中枢となるモーター制御や運転制御を統括する機能を備える。
【００１４】
また、図示はしないが、エレベータの乗りかごが上下移動する昇降路の上側の機械室内に電動機で回転される巻上機が設置され、この巻上機の両端に乗りかご及び釣合重りが取付けられて主ロープが掛けられている。電動機は交流電源から供給される交流を用いた駆動回路にて回転制御される。
【００１５】
また、伝送ＣＰＵ５は、かご操作盤２や乗り場表示装置３との直列通信を行なうために、主制御装置４から受信したデータをかご操作盤２や乗り場表示装置３に直列通信で送信する機能と、かご操作盤２や乗り場表示装置３から受信した直列通信データを主制御装置４に送信する機能とを備える。伝送ＣＰＵ５には、一般に８ｂｉｔ制御または１６ｂｉｔ制御の組み込み型マイクロコンピュータが使用される。
【００１６】
かご操作盤２は画像表示装置６、画像制御装置７および呼びボタン８を備える。画像表示装置６は例えば液晶パネルであって、画像情報を表示する機能を備えた表示装置である。
【００１７】
また、呼びボタン８は、利用者が目的階を指定するためのボタンスイッチ１０と指定した目的階で停止することを利用者に報知するためのボタン登録灯１１とを備える。
【００１８】
画像制御装置７は、画像表示装置６に画像情報を表示するための出力制御機能、主制御盤１との通信を行なうための直列通信機能、呼びボタン８のボタンスイッチの操作を検出する機能および呼びボタン８のボタン登録灯の点灯消灯制御機能を備える。
【００１９】
乗り場表示装置３は、かご操作盤２と同様に画像表示装置６、画像制御装置７および呼びボタン８を備え、それぞれの機能はかご操作盤２の画像表示装置６、画像制御装置７および呼びボタン８の機能と同じである。
【００２０】
ただし、乗り場表示装置３の呼びボタン８は、かご操作盤２の呼びボタン８のように目的階を指定するものではなく、乗りかごの乗り場呼びのために上昇と下降のいずれかを指定するものが一般的である。
【００２１】
図２は、本発明の実施形態におけるエレベータの表示装置が組み込まれた既設エレベータシステムの一例を示す図である。  
図２に示すように、本発明の実施形態における既設エレベータシステムは図１に示した新設エレベータシステムと同様に主制御盤１、かご操作盤２および乗り場表示装置３を中心に構成される。既設エレベータシステムでは、主制御盤１は主制御装置４と入出力回路９を備える。主制御装置４は図１の構成で説明した新設エレベータシステムと同様の機能を備える。入出力回路９は主制御装置４の直流（ＤＣ）５Ｖの入出力信号をＤＣ２４Ｖの信号に変換する機能を備え、入出力信号を接点のオンオフ制御によってディジタル化している。
【００２２】
主制御盤１とかご操作盤２と間および主制御盤１と乗り場表示装置３との間はモーターを駆動することによって発生するインバータノイズなどが発生し、入出力信号に劣悪な環境であるため、誤動作を防止するためにＤＣ２４Ｖへの信号変換を経て通信を行っている。
【００２３】
かご操作盤２の構成部品は図１に示した新設エレベータシステムと同様であるが、既設エレベータシステムでは呼びボタン８は直列通信を行わないため、呼びボタン８と主制御盤１の入出力回路９とが直接接続される。
【００２４】
乗り場表示装置３の構成部品も図１の新設エレベータシステムと同様であるが、前述したように既設エレベータの呼びボタン８は直列通信を行わないため、呼びボタン８と主制御盤１の入出力回路９とが直接接続される。
【００２５】
次に、本発明の実施形態におけるエレベータの表示装置について説明する。図３は、本発明の実施形態におけるエレベータの表示装置の構成例を示すブロック図である。  
図３に示した表示装置は、新設エレベータでの新規または交換用の表示装置として用いることができ、さらに既設エレベータでの交換用の表示装置として用いることができる。
【００２６】
図３に示すように、表示装置は画像表示装置６、画像制御装置７および呼びボタン８で構成される。呼びボタン８はボタンスイッチ１０およびボタン登録灯１１を備える。  
本実施例では図１に示した新設エレベータシステムに適用する表示装置を前提として説明をしているが、図２に示した既設エレベータシステムに適用する表示装置の場合は呼びボタン８は表示装置の構成要素から除かれる。
【００２７】
つまり、図３に示した画像表示装置６および画像制御装置７を図１に示した新設エレベータに設置する場合には、呼びボタン８のボタンスイッチ１０およびボタン登録灯１１が画像制御装置７に接続される。一方、図３に示した画像表示装置６および画像制御装置７を図２に示した既設エレベータに設置する場合には、呼びボタン８のボタンスイッチ１０およびボタン登録灯１１は画像制御装置７ではなく、主制御盤１の入出力回路９に直接接続されることになる。
【００２８】
画像制御装置７は、直列通信送受信回路１２、直列通信接続検出回路１３、接点受信回路１４、接点受信検出回路１５、画像データ第１格納メモリ１６、画像データ第２格納メモリ１７、画像表示装置ドライブ回路１８およびＣＰＵ１９を備え、ＣＰＵ１９以外の各要素が当該ＣＰＵ１９に接続される。
【００２９】
直列通信送受信回路１２は、画像表示装置６および画像制御装置７を図１に示した新設エレベータシステムに設置した場合において、主制御盤１の伝送ＣＰＵ５との通信を行なうための回路であり、一般に長距離伝送に適したＲＳ−４２２方式の通信やＲＳ−４８５方式の通信のインタフェース機能を備える。
【００３０】
直列通信接続検出回路１３は、直列通信送受信回路１２に外部配線、つまり新設エレベータの主制御盤１からの信号線が接続される場合と未接続の場合とでＣＰＵ１９への入力信号の状態を変化させる機能を備える。
【００３１】
接点受信回路１４は、画像表示装置６および画像制御装置７を図２に示したエレベータシステムに設置した場合において、主制御盤１の入出力回路９との通信を行なうための回路であり、ＤＣ２４Ｖの信号を接点でオンオフ制御することでディジタル信号として機能させる。
【００３２】
接点受信検出回路１５は、接点受信回路１４に外部配線、つまり既設エレベータの主制御盤１からの信号線が接続される場合と未接続の場合とでＣＰＵ１９への入力信号の状態を変化させる機能を備える。
【００３３】
画像データ第１格納メモリ１６は画像制御装置７からの着脱が可能な記憶装置であり、画像表示装置６に表示する画像データの中で、顧客毎に要望するコンテンツの表示など、変化要因の高い画像データを格納する用途に使用し、不揮発性の携帯型フラッシュメモリカードなど大容量な１２８ＭＢから１ＧＢ程度のメモリが用いられる。
【００３４】
また、画像データ第２格納メモリ１７は画像制御装置７からの着脱が不能な記憶装置であり、画像表示装置６に表示する画像データの中でエレベータの階床や上下記号など、客先によって変化要因の少ない画像データを格納する用途や標準で表示可能な画像を格納する用途に使用し、画像データ第１格納メモリ１６と比較して小容量な３２ＭＢから１２８ＭＢ程度の不揮発性のメモリが使用される。  
画像表示装置ドライブ回路１８は画像表示装置６との間のインタフェース機能を備え、画像表示装置６の表示素子を駆動するために十分な電流をドライブする機能を備える。
【００３５】
ＣＰＵ１９は画像制御装置７の中枢となる構成部品であり、直列通信送受信回路１２または接点受信回路１４から受信した画像表示コードに基づき、画像データ第１格納メモリ１６または画像データ第２格納メモリ１７から所定の画像データを読み出して画像表示装置ドライブ回路１８へ表示信号として出力する機能と、図１に示した新設エレベータシステムにおける伝送ＣＰＵ５と呼びボタン８との間のデータ通信機能とを備える。
【００３６】
また、図１に示した新設エレベータシステムにおいて伝送ＣＰＵ５から画像データ自体のコードをＣＰＵ１９に送信した場合、ＣＰＵ１９は各種画像データ格納メモリからの読み出しを行わずに伝送ＣＰＵ５からのコードで示されるデータを画像表示装置ドライブ回路１８に直接出力する機能を備える。
【００３７】
次に直列通信接続検出回路１３について説明する。図４は、本発明の実施形態におけるエレベータの画像制御装置の直列通信接続検出回路の構成例を示す図である。  
図４に示すように、新設エレベータシステムの主制御盤１からの直列通信ケーブルの先端には直列通信コネクタ２０が取り付けられ、直列通信コネクタ２０にはコネクタ接続識別電線２１の一端と他端が取り付けられる。
【００３８】
また、画像制御装置７側には、直列通信コネクタ２０を接続するための第１接続コネクタ２３が直列通信接続検出回路１３の一要素として設けられる。第１接続コネクタ２３には低電位点の端子であるＣＯＭ端子が設けられる。また、第１接続コネクタ２３は直列通信送受信回路１２と接続される。
【００３９】
直列通信接続検出回路１３は当該検出回路の一要素として抵抗２２を備える。抵抗２２の一端は高電位点の端子であるＶＣＣ端子に接続され、他端はＣＰＵ１９および第１接続コネクタ２３に接続される。
【００４０】
直列通信コネクタ２０を画像制御装置７の第１接続コネクタ２３に接続していない状態では、直列通信ケーブルは直列通信送受信回路１２と接続されず、抵抗２２の他端は第１接続コネクタ２３のＣＯＭ端子やコネクタ接続識別電線２１とは接続されない。
【００４１】
一方、直列通信コネクタ２０を画像制御装置７の第１接続コネクタ２３に接続した状態では、直列通信ケーブルと直列通信送受信回路１２とが接続され、抵抗２２の他端は第１接続コネクタ２３を介してコネクタ接続識別電線２１の一端と接続され、コネクタ接続識別電線２１の他端は第１接続コネクタ２３のＣＯＭ端子に接続される。  
この場合には、抵抗２２の他端は、第１接続コネクタ２３、直列通信コネクタ２０およびコネクタ接続識別電線２１を介して第１接続コネクタ２３のＣＯＭ端子に接続されることになる。
【００４２】
つまり、直列通信ケーブルの直列通信コネクタ２０を画像制御装置７の第１接続コネクタ２３に接続した場合にはＣＰＵ１９にはＣＯＭ端子に短絡した信号が入力される。また、直列通信コネクタ２０が画像制御装置７の第１接続コネクタ２３に接続されていない場合には抵抗２２がＶＣＣ端子に接続されていることからＶＣＣに近い電位の信号がＣＰＵ１９に入力される。
【００４３】
以上によってＣＰＵ１９は第１接続コネクタ２３への直列通信コネクタ２０の接続の有無によって信号のオンオフの状態を検出できるため直列通信ケーブルの接続の有無を確認できる。
【００４４】
次に、接点受信検出回路１５について説明する。図５は、本発明の実施形態におけるエレベータの画像制御装置の接点受信検出回路の構成図である。  
図５に示すように、既設エレベータシステムの主制御盤１からの接点信号ケーブルの先端には接点接続用コネクタ２４が取り付けられ、接点接続用コネクタ２４にはコネクタ接続識別電線２５の一端と他端が取り付けられる。
【００４５】
また、画像制御装置７側には、接点接続用コネクタ２４を接続するための第２接続コネクタ２６が第１接続コネクタ２３とは別に接点受信検出回路１５の一要素として設けられる。第２接続コネクタ２６には低電位点の端子であるＣＯＭ端子が設けられる。また、第２接続コネクタ２６は接点受信回路１４と接続される。
【００４６】
接点受信検出回路１５は当該検出回路の一要素として抵抗２７を備える。抵抗２７の一端は高電位点の端子であるＶＣＣ端子に接続され、他端はＣＰＵ１９および第２接続コネクタ２６に接続される。
【００４７】
接点接続用コネクタ２４を画像制御装置７の第２接続コネクタ２６に接続していない状態では、接点信号ケーブルは接点受信回路１４と接続されず、抵抗２７の他端は第２接続コネクタ２６のＣＯＭ端子やコネクタ接続識別電線２５とは接続されない。
【００４８】
一方、接点接続用コネクタ２４を画像制御装置７の第２接続コネクタ２６に接続した状態では、接点信号ケーブルと接点受信回路１４とが接続され、抵抗２７の他端は、第２接続コネクタ２６を介してコネクタ接続識別電線２５の一端と接続され、コネクタ接続識別電線２５の他端は第２接続コネクタ２６のＣＯＭ端子に接続される。  
この場合には抵抗２７の他端は、第２接続コネクタ２６、接点接続用コネクタ２４およびコネクタ接続識別電線２５を介して第２接続コネクタ２６のＣＯＭ端子に接続されることになる。
【００４９】
つまり、接点信号ケーブルの接点接続用コネクタ２４を画像制御装置７の第２接続コネクタ２６に接続した場合にはＣＰＵ１９にはＣＯＭ端子に短絡した信号が入力される。また、接点接続用コネクタ２４を画像制御装置７の第２接続コネクタ２６に接続していない場合には抵抗２７がＶＣＣ端子に接続されているのでＶＣＣに近い電位の信号がＣＰＵ１９に入力される。
【００５０】
以上によってＣＰＵ１９では第２接続コネクタ２６への接点接続用コネクタ２４の接続の有無によって信号のオンオフの状態を検出できるため接点信号ケーブルの接続の有無を確認できる。
【００５１】
なお、第１接続コネクタ２３の形状と第２接続コネクタ２６の形状はそれぞれ異なっており、第１接続コネクタ２３に接点信号ケーブルの接点接続用コネクタ２４を接続したり、第２接続コネクタ２６に直列通信ケーブルの直列通信コネクタ２０を接続したりすることはできないようになっている。
【００５２】
次に、図３に示した構成のエレベータの画像制御装置の動作について説明する。図６は本発明の実施形態におけるエレベータの画像制御装置の処理動作の一例を示すフローチャートである。  
まず、画像制御装置７の電源を投入すると（ステップＳ１）、ＣＰＵ１９は初期化処理を行った上で（ステップＳ２）、直列通信接続検出回路１３による接続の検出があるかないかの確認を行なう（ステップＳ３）。
【００５３】
ここで、直列通信ケーブルの直列通信コネクタ２０が画像制御装置７の第１接続コネクタ２３に接続されている場合には、ＣＰＵ１９は直列通信接続検出回路１３の機能により当該接続を検知する（ステップＳ３のＹＥＳ）。
【００５４】
この場合、ＣＰＵ１９は、直列通信データを直列通信コネクタ２０、第１接続コネクタ２３および直列通信送受信回路１２を介して受信し（ステップＳ４）、当該受信した直列通信データが画像データ自体を示すコードであるか否かを判断する（ステップＳ５）。
【００５５】
ＣＰＵ１９は、受信した直列通信データが画像データのコードでなければ（ステップＳ５のＮＯ）、受信したデータに基づいて、画像データ第１格納メモリ１６または画像データ第２格納メモリ１７から所定の画像データを読み出して（ステップＳ６）、画像表示装置ドライブ回路１８に出力することで画像表示装置６への画像表示を行なう（ステップＳ７）。
【００５６】
ＣＰＵ１９は、受信した直列通信データが画像データのコードである場合には（ステップＳ５のＹＥＳ）、当該受信したデータを画像表示装置ドライブ回路１８に直接出力することで主制御盤１から直接受信したデータを用いた画像表示を行なう（ステップＳ７）。
【００５７】
次に、ＣＰＵ１９は、呼びボタン８のボタンスイッチ１０の操作状態を検出して（ステップＳ８）、検出データを直列通信送受信回路１２および直列通信コネクタ２０および直列通信ケーブルを介して主制御盤１に送信する。また、ＣＰＵ１９は、主制御盤１から直列通信ケーブルの直列通信コネクタ２０および直列通信送受信回路１２を介して呼びボタン登録灯１１の点灯制御信号または消灯制御信号を受信して、呼びボタン登録灯１１の点灯消灯制御を行なう（ステップＳ９）。
【００５８】
一方、直列通信ケーブルの直列通信コネクタ２０が画像制御装置７の第１接続コネクタ２３に接続されていない場合には、ＣＰＵ１９は、直列通信接続検出回路１３の機能による当該接続の検知を行えない（ステップＳ３のＮＯ）。
【００５９】
この場合、ＣＰＵ１９は、接点受信検出回路１５による接続の検出があるかないかの確認を行なう（ステップＳ１０）。本実施形態では、ＣＰＵ１９は、直列通信接続検出回路１３の機能による接続の検出があるか否かの確認を行った後で接点受信検出回路１５による接続の検出があるか否かの確認を行っているが、理由としては、直列通信方式を用いる新設エレベータの設置台数が既設エレベータの設置台数より多いために、画像制御装置７へ接続されるケーブルが直列通信ケーブルである可能性が高く、これによりＣＰＵ１９の処理負荷を低減させるためであることが挙げられる。
【００６０】
接点信号ケーブルの接点接続用コネクタ２４が画像制御装置７の第２接続コネクタ２６に接続されていない場合には、ＣＰＵ１９は、接点受信検出回路１５による当該接続の検知を行えない（ステップＳ１０のＮＯ）。
【００６１】
つまり、画像制御装置７には直列通信ケーブルも接点信号ケーブルも接続されておらず、外部からの信号が接続されていないことになるので、ＣＰＵ１９は、直列通信接続の検出確認を再び行なう（ステップＳ１０→Ｓ３）。
【００６２】
また、接点信号ケーブルの接点接続用コネクタ２４が画像制御装置７の第２接続コネクタ２６に接続されている場合には、ＣＰＵ１９は接点受信検出回路１５の機能により当該接続を検知する（ステップＳ１０のＹＥＳ）。
【００６３】
この場合、ＣＰＵ１９は、接点データを接点接続用コネクタ２４、第２接続コネクタ２６および接点受信回路１４を介して受信し（ステップＳ１１）、受信した接点データに基づいて画像データ第１格納メモリ１６または画像データ第２格納メモリ１７から所定の画像データを読み出して（ステップＳ１２）、画像表示装置ドライブ回路１８に出力する（ステップＳ１３）。
【００６４】
ＣＰＵ１９は、表示用の画像データを出力すると接点データの受信ルーチンにもどり（ステップＳ１３→Ｓ１１）、繰り返し表示データを出力する。
【００６５】
また、ＣＰＵ１９は直列通信接続検出回路１３の機能により当該接続を検知した後は、接点信号ケーブルの接点接続用コネクタ２４が画像制御装置７の第２接続コネクタ２６に接続されても、当該接続の検出は行なわない。また、ＣＰＵ１９は接点受信検出回路１５の機能により当該接続を検知した後は、直列通信ケーブルの直列通信コネクタ２０が画像制御装置７の第１接続コネクタ２３に接続されても、当該接続の検出は行なわない。
【００６６】
以上のように、本発明の実施形態におけるエレベータでは、画像制御装置７は直列通信ケーブル接続用のコネクタと接点接続ケーブル接続用のコネクタをともに備え、ケーブルが接続されたコネクタを介して主制御盤１との間の通信を行なうので、表示装置を交換した場合で交換先のエレベータが直列通信方式を用いる新設エレベータであっても接点方式の既設エレベータあっても、主制御盤１との間で画像表示のための信号の通信を行なうことができる。
【００６７】
よって、交換用の表示装置を、直列通信方式を用いる新設エレベータ用と接点方式を用いる既設エレベータ用とに別途製造する必要が無くなり、共通化できる。よって、交換用の表示装置のコストが大幅に下げられるだけでなく、既設エレベータの改造にも迅速に対応可能な画像表示装置を実現できる。つまり、既設の表示装置を新しい表示装置へ交換する場合に主制御盤１との間の通信方式が設置先ごとに異なる事に起因する製造上の不都合を改善することができるようになる。
【００６８】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６９】
【図１】本発明の実施形態におけるエレベータの表示装置が組み込まれた新設エレベータシステムの一例を示す図。
【図２】本発明の実施形態におけるエレベータの表示装置が組み込まれた既設エレベータシステムの一例を示す図。
【図３】本発明の実施形態におけるエレベータの表示装置の構成例を示すブロック図。
【図４】本発明の実施形態におけるエレベータの画像制御装置の直列通信接続検出回路の構成例を示す図。
【図５】本発明の実施形態におけるエレベータの画像制御装置の接点受信検出回路の構成図。
【図６】本発明の実施形態におけるエレベータの画像制御装置の処理動作の一例を示すフローチャート。
【符号の説明】
【００７０】
１…主制御盤、２…かご操作盤、３…乗り場表示装置、４…主制御装置、５…伝送ＣＰＵ、６…画像表示装置、７…画像制御装置、８…呼びボタン、９…入出力回路、１０…ボタンスイッチ、１１…ボタン登録灯、１２…直列通信送受信回路、１３…直列通信接続検出回路、１４…接点受信回路、１５…接点受信検出回路、１６…画像データ第１格納メモリ、１７…画像データ第２格納メモリ、１８…画像表示装置ドライブ回路、１９…ＣＰＵ、２０…直列通信コネクタ、２１,２５…コネクタ接続識別電線、２２,２７…抵抗、２３…第１接続コネクタ、２４…接点接続用コネクタ、２６…第２接続コネクタ。
【図１】
2009221000.tif 000003
【図２】
2009221000.tif 000004
【図３】
2009221000.tif 000005
【図４】
2009221000.tif 000006
【図５】
2009221000.tif 000007
【図６】
2009221000.tif 000008